(57)【要約】【課題】樹脂製繊維を乾燥した寒天状に成形してなる樹脂製マット類を保形したままで洗浄・滅菌を可能にする。【解決手段】樹脂製繊維を乾燥した寒天状に成形してなる樹脂製マット類Ｍの洗濯・滅菌装置Ａであって、前記樹脂製マット類Ｍを直立させて収容可能な収納容器本体１と、この収納容器本体１を密閉する蓋体２とからなる直立槽３と、前記直立槽３の内部に収容された前記樹脂製マット類Ｍを高熱及び／又は高圧の気体或いは液体で洗浄可能な洗浄具４と、  前記直立槽３の下端に併設されたトレー状の洗濯パン５と、より構成してなる。【選択図】図１
2007252852.tif 000002
【特許請求の範囲】
【請求項１】
線条の樹脂製繊維を、乾燥した寒天状に成形してなる樹脂製マット類の洗濯・滅菌装置であって、
前記樹脂製マット類を直立させて収容可能な収納容器本体と、この収納容器本体を密閉する蓋体とからなる直立槽と、
前記直立槽の内部に収容された前記樹脂製マット類を高熱及び／又は高圧の気体或いは液体で洗浄可能な洗浄具と、
前記直立槽の下端に併設されたトレー状の洗濯パンと、より構成してなる樹脂製マット類の洗濯・滅菌装置。
【請求項２】
請求項１において、
直立槽の収納容器本体は、複数の樹脂製マット類を並設して収容可能にしてなる樹脂製マット類の洗濯・滅菌装置。
【請求項３】
請求項１又は２に記載された樹脂製マット類の洗濯・滅菌装置を用い、
樹脂製マット類に付着された汚れ等を洗濯パン上で粗洗浄する粗洗浄工程と、
この粗洗浄工程で粗洗浄された樹脂製マット類を収納容器本体に収容し、所定量の洗剤・滅菌剤を投入したうえで、蓋体で密閉し、洗浄具を稼働して収容された樹脂製マット類を洗浄・滅菌処理する本洗浄工程と、よりなる樹脂製マット類の洗濯・滅菌方法。
【発明の詳細な説明】
【技術分野】
【０００１】
本発明は、線条の樹脂製繊維を、乾燥した寒天状に成形してなる樹脂製マット類の洗濯・滅菌装置及びこれを用いた洗濯・滅菌方法に関する。
【背景技術】
【０００２】
従来、マット類の洗濯装置としては、回転ドラムの内周面に所定間隔でドラムの軸方向の畝状突起を設け、隣接する畝状突起の間にマットを少し弾性圧縮した状態で嵌め込むことにより、前記マットを回転ドラムの周面に定置させて洗浄するものがあった。（例えば、特許文献１参照。）。
【０００３】
これらマット類は、一般には、綿・羽毛、或いは、発泡ウレタン・スポンジを基材とするものであり、最近では低反発のマット類も人気である。
【０００４】
一方、近年では、熱可塑性樹脂を原料又は主原料とした線条の繊維を、ループ状に無秩序に絡め、且つ、部分的に熱接着して、まるで乾燥した寒天状に成形してなる樹脂製マット類が開発されており、この樹脂製マット類は、高反発なうえ、撥水性が良いため、例えば、床擦れや、失禁し易い老人介護や病院等のベッド等として使用するのに適している（例えば、特許文献２参照。）。
【特許文献１】特開２００３−６２３７６号
【特許文献２】特開２００６−６９２４号
【発明の開示】
【発明が解決しようとする課題】
【０００５】
しかし、従来の回転ドラムを用いた洗濯装置では、マット類を変形して洗浄するため、変形し難い前記樹脂製マット類を洗浄することはできないという問題があった。
【０００６】
また、従来の洗濯装置では、洗浄、すすぎ、脱水、乾燥という工程を順次行うものであるが、このような洗濯工程では、滅菌までを行うことは考慮されていないという問題もある。
【０００７】
本発明は、かかる課題を解決することを目的とするもので、樹脂製繊維を、乾燥した寒天状に成形してなる樹脂製マット類を保形したままで洗浄・滅菌が可能な樹脂製マット類の洗濯・滅菌装置及びこれを用いた洗濯・滅菌方法を提供する。
【課題を解決するための手段】
【０００８】
上記目的を達成するため、
請求項１に係る樹脂製マット類の洗濯・滅菌装置は、線条の樹脂製繊維を、乾燥した寒天状に成形してなる樹脂製マット類の洗濯・滅菌装置であって、前記樹脂製マット類を直立させて収容可能な収納容器本体と、この収納容器本体を密閉する蓋体とからなる直立槽と、前記直立槽の内部に収容された前記樹脂製マット類を高熱及び／又は高圧の気体或いは液体で洗浄可能な洗浄具と、前記直立槽の下端に併設されたトレー状の洗濯パンと、より構成してなる。
【０００９】
請求項２に係る樹脂製マット類の洗濯・滅菌装置は、請求項１において、直立槽の収納容器本体は、複数の樹脂製マット類を並設して収容可能にしてなる。
【００１０】
請求項３に係る樹脂製マット類の洗濯・滅菌方法は、請求項１又は２に記載された樹脂製マット類の洗濯・滅菌装置を用い、樹脂製マット類に付着された汚れ等を洗濯パン上で粗洗浄する粗洗浄工程と、この粗洗浄工程で粗洗浄された樹脂製マット類を収納容器本体に収容し、所定量の洗剤・滅菌剤を投入したうえで、蓋体で密閉し、洗浄具を稼働して収容された樹脂製マット類を洗浄・滅菌処理する本洗浄工程と、よりなる。
【発明の効果】
【００１１】
本発明によれば、次のような効果がある。
請求項１に係る樹脂製マット類の洗濯・滅菌装置によれば、直立槽の収納容器本体内に樹脂製マット類を直立させて収容可能とし、更に、この収納容器本体を蓋体で密閉したうえで、前記樹脂製マット類を高熱及び／又は高圧の気体或いは液体で洗浄可能な洗浄具を備えているため、変形し難い前記樹脂製マット類であっても、これを変形させずに保形したままで洗浄・滅菌することができる。
【００１２】
また、樹脂製マット類に付着された汚れ等は、洗濯パン上で予め粗洗浄することが可能であるため、前記収納容器本体内には、表面が粗洗浄された樹脂製マット類が収容され、この樹脂製マット類の内部にまで洗浄具の気体或いは液体が噴出されて洗浄し易く、樹脂製マット類の洗浄・滅菌を確実に行うことができる。
【００１３】
請求項２に係る樹脂製マット類の洗濯・滅菌装置によれば、収納容器本体は、複数の樹脂製マット類を並設して収容可能にしてなるため、複数の樹脂製マット類を同時に洗浄・滅菌して、作業効率を高めることができる。
【００１４】
請求項３に係る樹脂製マット類の洗濯・滅菌方法によれば、請求項１又は２に記載された樹脂製マット類の洗濯・滅菌装置を用いて、粗洗浄工程、本洗浄工程を順次行うことにより、樹脂製マット類に付着された汚れ等を、洗濯パン上で予め粗洗浄し、その表面が粗洗浄された前記樹脂製マット類を変形させずに保形したままで、収納容器本体内に直立させて洗浄・滅菌するので、前記樹脂製マット類の内部にまで洗浄具の気体或いは液体が噴出され、樹脂製マット類の洗浄・滅菌を確実に行うことができる。
【発明を実施するための最良の形態】
【００１５】
以下、本発明に係る樹脂製マット類の洗濯・滅菌装置及びこれを用いた洗濯・滅菌方法を図面とともに説明する。
【実施例１】
【００１６】
図１は、本発明に係る樹脂製マット類の洗濯・滅菌装置Ａの一実施例を示す概略図であり、図１（ａ）は、本発明に係る洗濯・滅菌装置Ａの全体斜視図であり、図１（ｂ）は、（ａ）で示した直立槽３の概略分解図である。
【００１７】
なお、本実施例で示した洗濯・滅菌装置Ａは、本発明の基本構成を示すものである。
【００１８】
すなわち、この樹脂製マット類の洗濯・滅菌装置Ａは、線条の樹脂製繊維を、乾燥した寒天状に成形してなる樹脂製マット類Ｍに用いることができ、樹脂製マット類Ｍを直立させて収容可能な収納容器本体１と、この収納容器本体１を密閉する蓋体２とからなる直立槽３と、この直立槽３の内部に収容された樹脂製マット類Ｍを高熱及び／又は高圧の気体或いは液体で洗浄可能な洗浄具４と、直立槽３の下端に併設されたトレー状の洗濯パン５と、より構成してなる。
【００１９】
この樹脂製マット類Ｍは、中空線条又は中実線条の熱可塑性樹脂を主原料とし、これを押し出し成形によってループ状に無秩序に絡め、且つ、部分的に熱接着して、まるで乾燥した寒天状に成形されてなり、高反発なうえ、撥水性が高いものである。
【００２０】
そのため、この樹脂製マット類Ｍを、例えば、一般的な矩形状のベッドに形成すれば、床擦れを生じ難いだけでなく、特に、失禁し易い老人介護等では、失禁した際にベッド内部に汚水が吸水されず好適である。
【００２１】
直立槽３は、収納容器本体１と、この収納容器本体１を密閉する蓋体２とからなる。
【００２２】
収納容器本体１は、耐熱性及び耐圧性を備え、上方のみが開放された箱状に形成することで、樹脂製マット類Ｍを上方から落し入れるだけで、これを直立させて収容可能にしている。
【００２３】
なお、本実施例では、樹脂製マット類Ｍが長方形の立方体に形成されたものを例示しているため、この樹脂製マット類Ｍを横長方向に向けて収納容器本体１に収容可能にしているが、これに限定されるものではない。
【００２４】
また、収納容器本体１に対向して立設された短辺側壁１１の内面には、複数の樹脂製マット類Ｍを一定間隔を隔てて並設して収容可能にしてなるガイド突起１２を形成している。
【００２５】
このようなガイド突起１２を形成することで、複数の樹脂製マット類Ｍを収納容器本体１内に同時に一定間隔を隔てて並設して収容することができ、洗浄・滅菌効率及び作業効率を高めることができる。
【００２６】
蓋体２は、収納容器本体１と同じく、耐熱性及び耐圧性を備え、この収納容器本体１の上方の開口１３を密閉可能にしている。
【００２７】
ここでは、収納容器本体１の上方の開口１３に外嵌される蓋本体２１の上端に取っ手２２を形成し、この取っ手２２を把持しながら、蓋体２を着脱するようにしたものを示しているが、例えば、蓋体２の一端に開閉ヒンジ（不図示）を設け、蓋体２の開閉操作を行うものでも構わない。
【００２８】
また、収納容器本体１の下端内部には、収容された樹脂製マット類Ｍの下端に近接されて、この樹脂製マット類Ｍを高熱及び／又は高圧の気体或いは液体で洗浄可能な洗浄具４を設置している。
【００２９】
この洗浄具４は、開閉バルブ４１の上流に連結された高温の水蒸気等の液体、又は、高圧のエアー等の気体を発生可能な駆動源（不図示）から送給される前記水蒸気、エアー等を、開閉バルブ４１を開放することで、収納容器本体１内に設置された噴霧ノズル等の噴射部４２を通じて、密閉された収納容器本体１内を高熱及び／又は高圧状態に供給して、樹脂製マット類Ｍの洗浄・滅菌を行うものである。
【００３０】
そして、収納容器本体１内を一定時間、高熱及び／又は高圧状態にして樹脂製マット類Ｍの洗浄・滅菌を行った後は、開閉バルブ４１を閉じると共に、噴射部４２の下流に設置された排出バルブ４３を開放して、収納容器本体１内を常温及び／又は大気圧に戻し、蓋体２を開放して、洗浄・滅菌された樹脂製マット類Ｍを取り出すのである。
【００３１】
更に、直立槽３の下端外部には、トレー状の洗濯パン５を併設してなり、この洗濯パン５の底面５１には、排水口５２を開設している。
【００３２】
このように構成した本発明に係る洗濯・滅菌装置Ａは、以下の方法で使用する。
【００３３】
先ず、樹脂製マット類Ｍに付着された汚れ等は、洗濯パン５上で予め粗洗浄し、その表面に付着された汚れ等を除去して排水口５２から下水等に排水する。
【００３４】
なお、この粗洗浄では、前記駆動源（不図示）を使用して、高圧の噴水シャワー等で樹脂製マット類Ｍの表面に付着された汚れ等を洗い流す程度の簡易な手段であれば良い。
【００３５】
そして、この粗洗浄された樹脂製マット類Ｍを、収納容器本体１に収容し、所定量の洗剤・滅菌剤を投入する。
【００３６】
ここで、使用される洗剤・滅菌剤としては、種々の化学洗剤が利用可能であるが、本実施例では、殺菌力が高く、且つ、無臭力の高い酸化剤を使用しており、具体的には、純粋二酸化塩素水を利用している。
【００３７】
このような純粋二酸化塩素水等の洗剤・滅菌剤を投入すると共に、収納容器本体１を蓋体２で密閉して、洗浄具４を前記要領で稼働すれば、収容された樹脂製マット類Ｍの洗浄・滅菌処理を行うのである。
【００３８】
そして、所定時間経過後、樹脂製マット類Ｍの洗浄・滅菌を行った後は、洗浄具４の開閉バルブ４１を閉じると共に、排出バルブ４３を開放して、収納容器本体１内を常温及び／又は大気圧に戻し、蓋体２を開放して、洗浄・滅菌された樹脂製マット類Ｍを取り出すのである。
【００３９】
上述の如く、本発明に係る樹脂製マット類の洗濯・滅菌装置Ｍ及びこれを用いた洗濯・滅菌方法によれば、直立槽３の収納容器本体１内に樹脂製マット類Ｍを直立させて収容可能とし、更に、この収納容器本体１を蓋体２で密閉したうえで、樹脂製マット類Ｍを高熱及び／又は高圧の気体或いは液体で洗浄可能な洗浄具４を備えているため、変形し難い樹脂製マット類Ｍであっても、これを変形させずに保形したままで洗浄・滅菌することができる。
【００４０】
又、樹脂製マット類Ｍに付着された汚れ等は、洗濯パン５上で予め粗洗浄することが可能であるため、収納容器本体１内には、表面が粗洗浄された樹脂製マット類Ｍが収容され、この樹脂製マット類Ｍの内部にまで洗浄具４の気体或いは液体が噴出されて洗浄・滅菌し易く、樹脂製マット類Ｍの洗浄・滅菌を確実に行うことができる。
【図面の簡単な説明】
【００４１】
【図１】（ａ）は、本発明に係る洗濯・滅菌装置Ａの全体斜視図であり、（ｂ）は、（ａ）で示した直立槽３の概略分解図である。
【符号の説明】
【００４２】
Ａ      洗濯・滅菌装置
Ｍ      樹脂製マット類
１      収納容器本体
２      蓋体
３      直立槽
４      洗浄具
５      洗濯パン
【図１】
2007252852.tif 000003